(57)【特許請求の範囲】
【請求項１】
吊りロープが巻き掛けられるトラクションシーブとモータ部とを有し、前記モータ部が、ガイドレールに対し、前記トラクションシーブを前記ガイドレールとの間に位置させるよう上下の各取付け部材を介して取付けられるエレベータ用巻上機において、
前記上の取付け部材は、その一端部と他端部とをそれぞれ前記ガイドレールに設けられた取付け部と前記モータ部の頂部に設けられた取付け部とに着脱自在とされて、前記トラクションシーブの上方に、当該上の取付け部材のみが前記吊りロープの前記トラクションシープと当該エレベータ用巻上機の外側との間の着脱のための移動を規制して配設される一方、
前記下の取付け部材は、その一端部と他端部とをそれぞれ前記ガイドレールと前記モータ部の底部とに固定されて、前記トラクションシーブの下方に設けられており、
前記上の取付け部材が取り外されることで、前記トラクションシーブの上方に、前記吊りロープの前記着脱のための移動を許容する空間が生じるよう構成されたことを特徴とするエレベータ用巻上機。
【請求項２】
吊りロープが巻き掛けられるトラクションシーブとモータ部とを有し、前記モータ部が、ガイドレールに対し、前記トラクションシーブを前記ガイドレールとの間に位置させるよう上下の各取付け部材を介して取付けられるエレベータ用巻上機において、
前記上の取付け部材は、その一端部が前記ガイドレールに設けられた取付け部に着脱自在に装着されると共に、他端部が前記モータ部の上部に前記一端部を前記ガイドレールに対して離接する方向に回動自在に取り付けられ、前記一端部が前記ガイドレールの取付け部に取り付けられた状態で、前記トラクションシーブの上方に、当該上の取付け部材のみが前記吊りロープの前記トラクションシープと当該エレベータ用巻上機の外側との間の着脱のための移動を規制して配設される一方、
前記下の取付け部材は、その一端部と他端部とをそれぞれ前記ガイドレールと前記モータ部の底部とに固定されて、前記トラクションシーブの下方に設けられており、
前記上の取付け部材が、その前記一端部が前記ガイドレールの取付け部から取り外され前記ガイドレールから離れる方向に回動されることで、前記トラクションシーブの上方に、前記吊りロープの前記着脱のための移動を許容する空間が生じるよう構成されたことを特徴とするエレベータ用巻上機。
【請求項３】
前記上の取付け部材は、前記ガイドレールと前記モータ部との間に差し渡される複数個のそれぞれ独立した支持部材で構成されたことを特徴とする請求項１又は請求項２に記載のエレベータ用巻上機。
【請求項４】
当該エレベータ用巻き上げ機が前記ガイドレールとエレベータの昇降路の側壁との間に設置された状態において、前記側壁との間に介挿される支持具が着脱自在に取付けられていることを特徴とする請求項１乃至３のいずれか１項に記載のエレベータ用巻上機。
【請求項５】
少なくとも前記上下の各取付け部材の一方と前記モータ部との間に、防振部材が装着されていることを特徴とする請求項１に記載のエレベータ用巻上機。
【請求項６】
前記モータ部の面と前記トラクションシーブの面とが略平行になるように配置されていることを特徴とする請求項１又は請求項２に記載のエレベータ用巻上機。
【請求項７】
当該エレベータ用巻き上げ機が前記ガイドレールとエレベータの昇降路の側壁との間に設置された状態において、前記側壁に対向する前記モータ部には、このモータ部が前記側壁側に傾くことを抑制する突起部が設けられていることを特徴とする請求項１又は請求項２に記載のエレベータ用巻上機。
【請求項８】
請求項１乃至７のいずれか１項記載のエレベータ用巻上機を、エレベータの昇降路内に配置したことを特徴とするエレベータ用巻上機の設置構造。
【請求項９】
前記支持部材は、回動により前記昇降路の側壁側に倒されたときに、先端部が前記側壁に接触することを特徴とする請求項８に記載のエレベータ用巻上機の設置構造。
【請求項１０】
前記トラクションシーブおよび前記モータ部は、前記エレベータのかごが前記昇降路内を昇降する空間及びその空間の昇降路上下への延長方向の延長空間以外の空間に配置されていることを特徴とする請求項８に記載のエレベータ用巻上機の設置構造。
【発明の詳細な説明】
【０００１】
【発明の属する技術分野】
本発明は、トラクション方式のエレベータにおいて、吊りロープが巻き掛けられるトラクションシーブがガイドレールとモータとの間に位置するように構成された巻上機の改良に関する。
【０００２】
【従来の技術】
近年、特に都市部の建物においては、美観上や近隣に対する日照権問題等から、屋上の高さが制限され、屋上にエレベータの機械室等を突出して設けることが容易でなくなってきた。そこで、建物内空間を効率的に利用する意味から、従来のように屋上等にエレベータ機械室を設置することなく、昇降路内にエレベータの制御装置や巻上機を収納する考えが提案されている。
【０００３】
例えば、特許第２５９３２８８号公報に記載の「トラクションシーブエレベータ」では、図７ないし図９に示すように、トラクションシーブ１とこのトラクションシーブ１に連結されたモータ２とからなる偏平薄型の巻上機が、昇降路３内の側壁３ａと、かご４を案内するガイドレール５との間に位置してガイドレール５に固定されている。
【０００４】
また、昇降移動するかご４と釣合い重り６とは吊りロープ７によりつるべ式に連結され、かご４及び釣合い重り６にそれぞれ設けられた転向プーリ４ａ，６ａを介してトラクションシーブ１に巻き掛けられ、両端は昇降路３の天井に固定されている。
【０００５】
このようにトラクションシーブ１を有する巻上機は、ガイドレール５と昇降路３内の側壁３ａとの間に設置されるが、図９に拡大して示したように、巻上機のモータ２は上下において、それぞれ一端がガイドレール５に溶接等により固定され取付け部材８１，８２にボルト８１１，８２１により取付けられていた。
【０００６】
【発明が解決しようとする課題】
上記のように、従来のエレベータ巻上機では、モータがガイドレールに固定された取付け部材に固定されていたので、新たに吊ロープをトラクションシーブに巻き掛けようとした場合、重い巻上機を上下の取付け部材から取り外す必要があった。このことは、一旦トラクションシーブに巻き掛けられた吊りロープを点検や修理のために、トラクションシーブから取り外す場合も同様である。
【０００７】
しかしながら、昇降路内の高所で、重い巻上機を取付け部材から取り外す作業は、作業員にとって大きな負担であり、吊りロープの交換や修理の作業は容易でなかった。
【０００８】
そこで、この発明は、吊りロープの簡単な取付け交換可能なエレベータ用巻上機及びその設置構造を提供することを目的とする。
【０００９】
【課題を解決するための手段】
上記従来の課題を解決するため、この発明は、吊りロープが巻き掛けられるトラクションシーブとモータ部とを有し、前記モータ部が、ガイドレールに対し、前記トラクションシーブを前記ガイドレールとの間に位置させるよう上下の各取付け部材を介して取付けられるエレベータ用巻上機において、前記上の取付け部材は、その一端部と他端部とをそれぞれ前記ガイドレールに設けられた取付け部と前記モータ部の頂部に設けられた取付け部とに着脱自在とされて、前記トラクションシーブの上方に、当該上の取付け部材のみが前記吊りロープの前記トラクションシープと当該エレベータ用巻上機の外側との間の着脱のための移動を規制して配設される一方、前記下の取付け部材は、その一端部と他端部とをそれぞれ前記ガイドレールと前記モータ部の底部とに固定されて、前記トラクションシーブの下方に設けられており、前記上の取付け部材が取り外されることで、前記トラクションシーブの上方に、前記吊りロープの前記着脱のための移動を許容する空間が生じるよう構成されたことを特徴とする。
また、エレベータ用巻上機の設置構造において、このエレベータ用巻上機を、エレベータの昇降路内に配置したことを特徴とする。
【００１０】
このように、この発明のエレベータ用巻上機及びその設置構造によれば、前記上の取付け部材は、その一端部と他端部とをそれぞれ前記ガイドレールに設けられた取付け部と前記モータ部の頂部に設けられた取付け部とに着脱自在とされて、前記トラクションシーブの上方に、当該上の取付け部材のみが前記吊りロープの前記トラクションシープと当該エレベータ用巻上機の外側との間の着脱のための移動を規制して配設される一方、前記下の取付け部材は、その一端部と他端部とをそれぞれ前記ガイドレールと前記モータ部の底部とに固定されて、前記トラクションシーブの下方に設けられており、前記上の取付け部材が取り外されることで、前記トラクションシーブの上方に、前記吊りロープの前記着脱のための移動を許容する空間が生じるよう構成したので、重量の大きな巻上機自体を上下の取付け部材から取り外すことなく、上の取付け部材の取り外しだけでトラクションシーブに対する吊りロープの着脱ができ、取付けや交換の作業が容易となる。
【００１１】
【発明の実施の形態】
以下、本発明によるエレベータ用巻上機の一実施の形態を図１ないし図６を参照して詳細に説明する。なお、図７ないし図９に示した従来の構成と同一構成には同一符号を付して、詳細な説明は省略する。
【００１２】
図１及び図２は、本発明によるエレベータ用巻上機の第１の実施の形態を示す側面図及び拡大平面図である。
【００１３】
すなわち、エレベータ乗りかごを案内するガイドレール５には予め、上下方向に間隔をおいて、それぞれ取付け部材８３，８２が溶接やボルト締め等により固着されている。
【００１４】
下方の取付け部材８２の先端部には、上方に開口する凹部８２ａが設けられ、この底部にゴムからなる防振部材８２２が挿入され、この防振部材８２２が挿入された凹部８２ａに、モータ２の底部に突出して設けた突起部２ａが嵌め込まれるように構成されている。
【００１５】
また、モータ２の頂部には、取付け部材８１の固定用として、突起部２ｂ及びこの突起部２ｂの周囲を囲むように嵌め込まれたゴム製の防振部材２１がそれぞれ形成及び装着がなされている。
【００１６】
そこで、上方の取付け部材８１は、一端部ではガイドレール５側に固定された取付け部材８３にボルト８１２により固定され、他端部は、形成された凹部８１ａが上記のように周囲に防振部材２１を配置したモータ２の突起部２ｂに嵌め込まれ、ボルト８１１により固定される。
【００１７】
従って、巻上機は各取付け部材８１，８２，８３により、ガイドレールに取付けられるが、巻上機全体の重量は、取付け部材８２の凹部８２ａにおいて、モータ２の突起部２ａを支持することによって支えられるように構成されている。
【００１８】
この第１の実施の形態によれば、通常のエレベータ使用時は、巻上機は取付け部材８１，８２，８３によりガイドレール５に取付け固定され、吊りロープ７がトラクションシーブ２に巻き掛けられた状態で、図示しないかご（４）は巻上機の駆動力を受け上下方向に昇降移動する。
【００１９】
従って、損傷等による吊りロープの交換や、あるいは点検のため吊りロープの取り外しを行う場合、作業員はボルト８１１，８１２を緩め、取付け部材８１を取り外すことによって空間Ａが生じるので、この空間Ａを利用して図示のように吊りロープ７のトラクションシーブ１への着脱が可能となる。
【００２０】
なお、このとき巻上機は下方の取付け部材８２に支持されてはいるものの、上方は固定されていないので不安定になるが、巻上機が昇降路３の側壁３ａ方向に傾くことがないように、モータ２の背面に突起部２ｃを設け、この突起部２ｃにねじ９１によりて支持具９を取付けるように構成した。この結果、巻上機が昇降路の側壁３ａ側に倒れても、支持具９により支持され安定する。
【００２１】
なお、上記構成によれば、作業員が作業中にトラクションシーブ１に掛け損ない吊りロープ７を手から落としたとしても、吊りロープ７は下方の支持部材８２に引っ掛かり、それより下方には落下することはない。
【００２２】
上記第１の実施の形態では、巻上機をガイドレール５に固定する取付け部材８１を１個で構成し、巻上機側及びガイドレール５側の双方を、ボルト８１１，８１２で固定するように構成したが、着脱自在の取付け部材をそれぞれ独立した複数個の支持部材で構成し、交互に着脱することで、巻上機を安定に保持しつつ、吊りロープ交換あるいは取り外し作業を行うことができる。
【００２３】
図３ないし図５は本発明によるエレベータ用巻上機の第２の実施の形態を示すもので、図３に示すように、ガイドレール５側に横長の取付け板８３を溶接等により固定し、モータ２の上部には一対の取付け金具２ｄを設け、それぞれに対応するように一対の取付け部材８１Ａ，８１Ｂを回動自在に設けて構成した。
【００２４】
従って、各取付け部材８１Ａ，８１Ｂのガイドレール５側の端部は、通常時は、ボルト等により取付け部材８３に固定されるが、吊りロープ７のトラクションシーブ１への巻き掛け、あるいは取り外しは、取付け部材８１Ａ，８１Ｂの取付け部材８３側の着脱のみによって可能である。しかもその着脱作業を交互に行うことによって、取付け部材８１Ａ，８１Ｂの少なくともいずれか一方は固定された状態にあるので、巻上機は安定し、作業を安全に進めることができる。
【００２５】
すなわち、図４（ａ）〜（ｄ）は、吊りロープ７を外側からトラクションシーブ１へ新たに装着する手順を示したもので、図４（ａ）は上方に吊りロープ７が巻上機上に添えられた状態を示す。
【００２６】
そこで次に、図４（ｂ）に示すように、一方の取付け部材８１Ａをガイドレール５側で取り外し回動することにより、その位置の吊りロープ７はトラクションシーブ１方向へ降下する。
【００２７】
次に、図４（ｃ）に示すように、取付け部材８１Ａをガイドレール５側に回動させて取付け部材８３に固定するとともに、他方の取付け部材８１Ｂをガイドレール５側で取り外し回動することによって、この位置での吊りロープ７も下方に降下する。
【００２８】
このようにして、吊りロープ７がトラクションシーブ１上に巻き掛けられ、図４（ｄ）に示すように、他方の取付け部材８１Ｂはガイドレール５側に回動され、取付け部材８３への固定により装着は終了する。
【００２９】
以上の手順により、巻上機は、少なくともガイドレール２に常に支持された状態で、吊りロープ７をトラクションシーブ１に巻き掛けることができる。トラクションシーブ１から吊りロープ７を取り外す場合は、この逆の手順で行うことができる。
【００３０】
なお、上述のように、各取付け部材８１Ａ，８１Ｂは、取付け金具２ｄを中心に回動するように構成したが、図５に点線で示したように、昇降路３の側壁３ａ側に回動させたとき、先端部が側壁３ａに当接し、巻上機が支持されるように各取付け部材８１Ａ，８１Ｂの長さを設定し、作業時における巻上機姿勢の安定度を高めることができる。これは、取付け部材８１Ａ，８１Ｂのいずれか１個のみを設けた場合に特に効果が得られる。
【００３１】
また、図３ないし図５に示した実施の形態では、ガイドレール５側で取付け部材８１Ａ，８１Ｂを着脱するように構成したが、反対にモータ２側で着脱自在となるように構成しても良い。
【００３２】
また、上記第２の実施の形態では、各取付け部材８１Ａ，８１Ｂをガイドレール５側の取付け部材８３に個々にボルト締めを行うように説明したが、取付け部材８３に取付け部材８１Ａ，８１Ｂに共通に通すピンを設け、このピンの移動により、各取付け部材８１Ａ，８１Ｂが交互に、また容易に着脱できるように構成することができる。
【００３３】
すなわち、図６はこの発明によるエレベータ用巻上機の第３の実施の形態を示すもので、図６に示すように、ガイドレール５側の取付け部材８３の構成を、端部に棒状のピン８３ａを挿入し、矢印で示すように左右方向に移動可能となるよう一対の支柱８３ｂ、８３ｂを立設した。
【００３４】
従って、モータ２に一端部が回動可能に取付けられた取付け部材８１Ａ，８１Ｂは、ガイドレール５側に倒したとき、先端部に設けた穴にピン８３ａを通し、ナット８３ｄでそれぞれ固定するように構成した。
【００３５】
ピン８３ａの中央部にはリング状のストッパ８３ｅを設けたので、ピン８３ａを左右方向に移動しても、ピン８３ａが支柱８３ｂから外れることない。
【００３６】
なお、この実施の形態においても、図５により説明した場合と同様に、モータ２の取付け位置と昇降路３の側壁３ａとの間の間隔、及び取付け部材８１Ａ，８１Ｂの長さとの関係を調整することによって、取付け部材８１Ａ，８１Ｂを側壁３ａ側に倒した場合、先端部が側壁３ａに当接し、巻上機が支持されるように構成することができる。
【００３７】
以上説明のように、この発明によるエレベータ巻上機によれば、取付け部材をガイドレールと巻上機との間で、少なくとも一端を着脱自在に構成したので、吊りロープの交換や取付け作業が容易となり、作業の安全をも図られ、実用に際し得られる効果大である。
【００３８】
【発明の効果】
以上詳述したように、本発明によるエレベータ用巻上機及びその設置構造によれば、吊りロープの交換や据付けが、簡単な操作で可能となり、またその作業を安全に行うことができるので、作業効率の向上を図ることができる。
【図面の簡単な説明】
【図１】本発明によるエレベータ用巻上機の第１の実施の形態を示す側面図である。
【図２】図１の拡大平面図である。
【図３】本発明によるエレベータ用巻上機の第２の実施の形態を示す要部斜視図である。
【図４】図３に示す機構における吊りロープの装着手順を示す説明図である。
【図５】図３に示す機構の側面図である。
【図６】本発明によるエレベータ用巻上機の第３の実施の形態を示す要部斜視図である。
【図７】従来のエレベータ用巻上機を有するエレベータ装置の要部外観図である。
【図８】図７の平面図である。
【図９】図７の要部側面図である。
【符号の説明】
１  トラクションシーブ
２  モータ
３  昇降路
３ａ  昇降路側壁
４  かご
５  ガイドレール
６  釣合い重り
７  吊りロープ
８１，８２，８３  取付け部材
９  支持具
【図１】
0004176188.tif 000002
【図２】
0004176188.tif 000003
【図３】
0004176188.tif 000004
【図４】
0004176188.tif 000005
【図５】
0004176188.tif 000006
【図６】
0004176188.tif 000007
【図７】
0004176188.tif 000008
【図８】
0004176188.tif 000009
【図９】
0004176188.tif 000010